(57)【特許請求の範囲】
【請求項１】
駆動可能なバリエータレンズとフォーカスレンズとを含むレンズ装置を装着可能な撮像装置であって、
直接又は間接的に接続されるキャンセル操作部と、
直接又は間接的に接続されるフォーカス操作部と、
直接又は間接的に接続される決定操作部と、
フランジバック調整モードとしてＡＦ調整モード及びＭＦ調整モードを有する制御手段とを有し、
前記制御手段は、
前記フランジバック調整モードとしてＭＦ調整モードが選択されると、前記キャンセル操作部以外の前記フォーカス操作部の操作を受け付けずに、前記レンズ装置の前記バリエータレンズを第１のズーム位置に移動させ、当該第１のズーム位置に前記バリエータレンズが到着したことを前記レンズ装置から検知すると、前記フォーカス操作部の操作を受け付けて、前記決定操作部の操作を受け付けると、前記キャンセル操作部以外の前記フォーカス操作部の操作を受け付けずに、前記レンズ装置の前記バリエータレンズを第２のズーム位置に移動させ、該第２のズーム位置に前記バリエータレンズが到着したことを前記レンズ装置から検知すると、前記フォーカス操作部の操作を受け付けて、前記決定操作部の操作を受け付けると、前記第１のズーム位置で前記決定操作部の操作を受け付けたときのフォーカス位置と前記第２のズーム位置で前記決定操作部の操作を受け付けたときのフォーカス位置とからフランジバック調整の調整値を算出するとともに、前記フランジバック調整モードとしてＡＦ調整モードが選択されると、前記フランジバック調整モードとしてＭＦ調整モードが選択されたときに調整値の算出の際に行った前記第１のズーム位置、前記第２のズーム位置における前記フォーカス操作部の受け付けを行わないことを特徴とする撮像装置。
【請求項２】
駆動可能なバリエータレンズとフォーカスレンズとを含むレンズ装置を装着可能であるとともに、直接又は間接的に接続されるキャンセル操作部と、直接又は間接的に接続されるフォーカス操作部と、直接又は間接的に接続される決定操作部とを有する撮像装置の制御方法であって、
フランジバック調整モードとしてＭＦ調整モードが選択されると、前記キャンセル操作部以外の前記フォーカス操作部の操作を受け付けずに、前記レンズ装置の前記バリエータレンズを第１のズーム位置に移動させ、当該第１のズーム位置に前記バリエータレンズが到着したことを前記レンズ装置から検知すると、前記フォーカス操作部の操作を受け付けて、前記決定操作部の操作を受け付けると、前記キャンセル操作部以外の前記フォーカス操作部の操作を受け付けずに、前記レンズ装置の前記バリエータレンズを第２のズーム位置に移動させ、該第２のズーム位置に前記バリエータレンズが到着したことを前記レンズ装置から検知すると、前記フォーカス操作部の操作を受け付けて、前記決定操作部の操作を受け付けると、前記第１のズーム位置で前記決定操作部の操作を受け付けたときのフォーカス位置と前記第２のズーム位置で前記決定操作部の操作を受け付けたときのフォーカ位置とからフランジバック調整の調整値を算出するとともに、前記フランジバック調整モードとしてＡＦ調整モードが選択されると、前記フランジバック調整モードとしてＭＦ調整モードが選択されたときに調整値の算出の際に行った前記第１のズーム位置、前記第２のズーム位置における前記フォーカス操作部の受け付けを行わない制御ステップを含むことを特徴とする撮像装置の制御方法。
【発明の詳細な説明】
【技術分野】
【０００１】
本発明は、正常にフランジバック調整を行うことが可能な撮像装置及びその制御方法に関するものである。
【背景技術】
【０００２】
従来のカメラ装置には、電気的にフランジバック調整を行う機能を有したものがある（例えば、特許文献１参照）。また、使用環境下における温度変化の影響を受けることなく、安定した撮影を行えるようにしたものもある（例えば、特許文献２参照）。さらに、レンズ装置の組み立て調整時に装着されたカメラ装置のフランジバック情報と、このレンズ装置が現在装着されている撮影装置のフランジバック情報との差分を補正する手段を有したレンズ装置もある（例えば、特許文献３参照）。
【０００３】
【特許文献１】特開２０００−１２１９１１号公報
【特許文献２】特開２００３−１３１１０３号公報
【特許文献３】特開平１１−０８４５０１号公報
【発明の開示】
【発明が解決しようとする課題】
【０００４】
しかしながら、従来のフランジバック調整では、交換式のレンズ装置に設定されたフランジバック情報とカメラ装置に設定されたフランジバック情報を組み合わせた際に生じる誤差と、使用環境下における温度変化の影響を受けることにより生じる誤差の両方に対応することは出来なかった。これを解決する為には、ユーザが自動または手動でフランジバック調整を行うことにより、調整時の使用環境下に最も適した補正値を得ることが最も有効な手段であると考えられる。これによれば、レンズ装置の組み立て調整時に装着されたカメラ装置のフランジバック情報と、このレンズ装置が現在装着されている撮影装置のフランジバック情報との差分を補正する手段を考慮する必要はなくなる。
【０００５】
しかしながら、ユーザがフランジバック調整を行う際には、カメラ装置がレンズ装置のズーム動作またはフォーカス動作が行われる。その際に、外部からズーム操作またはフォーカス操作や、シャッタスピードの変更またはアイリスの絞り値の変更等の操作が行われると、調整が終了しないまたは正常に行われない等の例外が発生すると考えられる。
【０００６】
そこで、本発明の目的は、ユーザからの操作入力のためにフランジバック調整が終了しない又は正常に行われない等の例外発生を防止することにある。
【課題を解決するための手段】
【０００７】
本発明の撮像装置は、駆動可能なバリエータレンズとフォーカスレンズとを含むレンズ装置を装着可能な撮像装置であって、直接又は間接的に接続されるキャンセル操作部と、直接又は間接的に接続されるフォーカス操作部と、直接又は間接的に接続される決定操作部と、フランジバック調整モードとしてＡＦ調整モード及びＭＦ調整モードを有する制御手段とを有し、前記制御手段は、前記フランジバック調整モードとしてＭＦ調整モードが選択されると、前記キャンセル操作部以外の前記フォーカス操作部の操作を受け付けずに、前記レンズ装置の前記バリエータレンズを第１のズーム位置に移動させ、当該第１のズーム位置に前記バリエータレンズが到着したことを前記レンズ装置から検知すると、前記フォーカス操作部の操作を受け付けて、前記決定操作部の操作を受け付けると、前記キャンセル操作部以外の前記フォーカス操作部の操作を受け付けずに、前記レンズ装置の前記バリエータレンズを第２のズーム位置に移動させ、該第２のズーム位置に前記バリエータレンズが到着したことを前記レンズ装置から検知すると、前記フォーカス操作部の操作を受け付けて、前記決定操作部の操作を受け付けると、前記第１のズーム位置で前記決定操作部の操作を受け付けたときのフォーカス位置と前記第２のズーム位置で前記決定操作部の操作を受け付けたときのフォーカス位置とからフランジバック調整の調整値を算出するとともに、前記フランジバック調整モードとしてＡＦ調整モードが選択されると、前記フランジバック調整モードとしてＭＦ調整モードが選択されたときに調整値の算出の際に行った前記第１のズーム位置、前記第２のズーム位置における前記フォーカス操作部の受け付けを行わないことを特徴とする。
【発明の効果】
【０００８】
本発明によれば、フランジバック調整制御の実行期間中に操作手段からの所定の操作入力を無効にするように構成したので、ユーザからの操作入力のためにフランジバック調整が終了しない又は正常に行われない等の例外発生を防止することが可能となる。
【発明を実施するための最良の形態】
【０００９】
以下、本発明をデジタルビデオカメラに適用した場合の実施形態を、添付図面を参照しながら詳細に説明する。
【００１０】
図１は、本発明の実施形態に係るデジタルビデオカメラの電気的回路構成を示すブロック図である。図１において、被写体からの光束は、交換式レンズユニット１２内の光学系の固定されている第１のレンズ群１、変倍を行う第２のレンズ群であるバリエータレンズ群２、絞り３、固定されている第３のレンズ群４、ピント調節機能と変倍によるピントの移動を補正するコンペ機能とを兼ね備えた第４のレンズ群であるフォーカスレンズ群５を通って、カメラ装置３１内の色分解プリズム（不図示）により３原色中の赤の成分はＣＣＤ等の撮像素子２１の上に、緑の成分はＣＣＤ等の撮像素子２２の上に、青の成分はＣＣＤ等の撮像素子２３の上にそれぞれ結像される。
【００１１】
バリエータレンズ群２及びフォーカスレンズ群５はエンコーダ等の絶対位置検出装置（不図示）により各々絶対位置が検出され、その検出情報は交換式レンズユニット１２の制御手段としてのレンズマイコン１０内に供給される。
【００１２】
撮像素子２１、２２、２３上のそれぞれの像は光電変換され、増幅器２５、２６、２７でそれぞれ最適なレベルに増幅され、カメラ信号処理回路２８へと入力されて、標準テレビ信号（映像信号）に変換されると同時に、ＡＦの情報はＡＦ評価値としてカメラ装置の制御手段としての本体マイコン２９のＡＦデータ読み出しプログラム部によってデータとして読み出される。
【００１３】
本体マイコン２９が読み出したＡＦ評価値は、ＡＦスイッチのＯＮ／ＯＦＦ（不図示）、ズームスイッチ（不図示）の状態等のビデオカメラ本体３１側のスイッチの情報と合わせて、カメラ側接点３０、レンズ側接点１１を通りレンズマイコン１０へ転送される。
【００１４】
レンズマイコン１０では、本体マイコン２９からの情報により、ズームスイッチが押されている時は、バリエータレンズ群２をＴＥＬＥまたはＷＩＤＥの押されている方向に駆動すべく、ズームモータドライバ７に信号を送る。これにより、レンズマイコン１０は、ズームモータ（レンズ駆動手段）６を介してバリエータレンズ群２を駆動する。それと同時に、レンズマイコン１０は、内部のカムデータ記憶部に予め記憶された制御情報としてのレンズカムデータに基づきフォーカスモータドライバ９に信号を送り、フォーカスモータ（レンズ駆動手段）８を介してフォーカスレンズ群５を動かす。これにより、ピント移動のない変倍動作を行うことが出来る。
【００１５】
ところで、本実施形態のように、変倍レンズ（バリエータレンズ群２）より補正レンズ（フォーカスレンズ群５）が光軸後方にあるタイプでは、変倍時での合焦を維持させた状態での補正レンズの制御位置は被写体距離によって変化することになる。レンズカムデータは図８（ａ）に示すように、バリエータレンズ群２の複数の絶対位置毎であって、かつ被写体距離の絶対位置毎（例えば図８（ａ）の１ｍ、２ｍ毎）にフォーカスレンズ群５の位置を記憶している。制御部のプログラムは位置検出装置（不図示）により検出されたバリエータレンズ群２及びフォーカスレンズ群５の絶対位置情報により選択されるレンズカムデータを用いてフォーカスモータ８の回転方向及び回転速度を決定する。また、カメラ本体３１側のＡＦスイッチがＯＮの場合は、レンズマイコン１０内のＡＦ制御部が、本体マイコン２９からのＡＦ評価値が最大になるよう、フォーカスモータドライバ９に信号を送り、フォーカスレンズ群５のみを動かすことで自動焦点調節動作を行う。
【００１６】
さて、上述のごときレンズカムデータに基づく補正レンズの駆動に関しては正確なバックフォーカスを確保する為の原点を定めなければいけない。原点とは設定された基準位置を基準に所定の補正値によって補正することにより定められる。ここでいう所定の補正値とは、交換式レンズユニット１２が持っている補正値と、カメラ本体３１から伝達する補正値の合計値である。交換式レンズユニット１２が持っている補正値とは、交換式レンズユニット１２を製造する段階で発生するバラツキ等による固定的なものと、光学系側での温度変化等に起因する変動的なものの合計値である。カメラ本体３１から伝達する補正値とは、カメラ本体３１を製造する段階で発生するバラツキ等による固定的なものとカメラ本体３１側での温度検出素子２４で検出された出力信号を用いて求めた、カメラ本体３１側のフランジバックの変化情報として与えられる値である。
【００１７】
本実施形態は、交換式レンズユニット１２自身が持つ補正値と、上述のカメラ本体３１から伝達する補正値を組み合わせた際に生じる誤差を補正する調整値を求めるフランジバック調整方法に関するものである。
【００１８】
図２は、本実施形態のメニュー画面の一例を示すものである。ここで、調整値初期化２０３は、カメラ装置のフランジバック情報を工場出荷時の設定値に戻すための選択項目である。
【００１９】
図３は、本実施形態におけるフランジバック調整方法を示すフローチャートである。ＡＦ（オートフォーカス）調整では、最初のステップＳ３０１において、ＴＥＬＥ端へバリエータレンズ群２を動かす。ステップＳ３０２において、自動的にフォーカスレンズ群５を動かして合焦させる。そのフォーカス位置を保持したまま、ステップＳ３０３において、ＷＩＤＥ端へバリエータレンズ群２を動かす。
【００２０】
続くステップＳ３０４において、現在のフォーカス位置、すなわちＴＥＬＥ端でのフォーカス位置ｆ１を読み取る。ステップＳ３０５において、自動的にフォーカスレンズ群５を動かして合焦させる。ステップＳ３０６において、現在のフォーカス位置、すなわちＷＩＤＥ端でのフォーカス位置ｆ２を読み取る。そして、（ｆ１−ｆ２）と交換式レンズユニット１２に設定されているレンズ係数を用いて調整値を算出し、カメラ本体３１を製造する段階で設定されたフランジバック情報、またはユーザがこれ以前に交換式レンズユニット１２に対してフランジバック調整を行った結果として記憶されたフランジバック情報との和を取った値を新たな調整値としてカメラ本体３１に記憶する。ここで得られた調整値に、温度による補正を加えたものを逐次レンズユニット１２に送ることで交換式レンズユニット１２とカメラ本体３１とを組み合わせた際に生じるフランジバックの誤差を補正することが可能となる。
【００２１】
ＭＦ（マニュアルフォーカス）調整では、最初のステップＳ３０１において、ＴＥＬＥ端へバリエータレンズ群２を動かす。ステップＳ３０２において、手動でフォーカスレンズ群５を動かして合焦させた後、決定キー操作により次の処理に進む。ステップＳ３０２において設定したフォーカス位置を保持したまま、ステップＳ３０３において、ＷＩＤＥ端へバリエータレンズ群２を動かす。ステップＳ３０４において、現在のフォーカス位置、すなわちＴＥＬＥ端でのフォーカス位置ｆ１を読み取る。ステップＳ３０５において、手動でフォーカスレンズ群５を動かして合焦させた後、決定キー操作により次の処理に進む。ステップＳ３０６において、現在のフォーカス位置、すなわちＷＩＤＥ端でのフォーカス位置ｆ２を読み取る。そして、（ｆ１−ｆ２）と交換式レンズユニット１２に設定されているレンズ係数を用いて調整値を算出し、カメラ本体３１を製造する段階で設定されたフランジバック情報、またはユーザがこれ以前に交換式レンズユニット１２に対してフランジバック調整を行った結果として記憶されたフランジバック情報との和を取った値を新たな調整値としてカメラ本体３１に記憶する。ここで得られた調整値に、温度による補正を加えたものを逐次レンズユニット１２に送ることで交換式レンズユニット１２とカメラ本体３１とを組み合わせた際に生じるフランジバックの誤差を補正することが可能となる。
【００２２】
図４は、本実施形態におけるフランジバック調整の１つである、ＡＦ調整におけるユーザ操作の無効を含むフランジバック調整方法を示すフローチャートである。また、図５はこのときの操作部・カメラ本体・交換式レンズユニット間の動作関係を示すシーケンスチャートである。本処理は、図２の２０１が選択されることにより開始されるものである。
【００２３】
ＡＦ調整では、ユーザからの操作はキャンセル操作以外の全ての操作、例えばズーム操作、フォーカス操作、アイリス操作及びシャッタスピード操作等を受け付けなくした状態で処理を開始する（ステップＳ５０１、Ｓ５０２）。
【００２４】
最初のステップＳ４０１において、強制的にＡＦモードへと移行させるための制御信号及びバリエータレンズ群２をＴＥＬＥ端に移動させるための制御信号を本体マイコン２９からレンズマイコン１０に対して送信し（ステップＳ５０３）、レンズマイコン１０はＴＥＬＥ端へバリエータレンズ群２を動かす。
【００２５】
ステップＳ４０２において、レンズマイコン１０はＴＥＬＥ端に到達したかどうかを判断し、ＴＥＬＥ端に到達するまでステップＳ４０１の動作を繰り返す。ＴＥＬＥ端に到達すると、レンズマイコン１０は本体マイコン２９に対してバリエータレンズ群２がＴＥＬＥ端に到達したことを示す信号を送る（ステップＳ５０４）。これを受けた本体マイコン２９は、ＡＦによる合焦が完了したかを確認するための信号をレンズマイコン１０に対して送信する（ステップＳ５０５）。レンズマイコン１０は、ステップＳ４０３において自動的にフォーカスレンズ群５を動かして合焦させる。なお、合焦が終了するまでステップＳ４０３を繰り返す。合焦終了後、レンズマイコン１０は合焦が完了したことを示す信号を本体マイコン２９に対して送信する（ステップＳ５０６）。
【００２６】
強制的にＭＦモードへと移行させるための制御信号及びバリエータレンズ群２をＷＩＤＥ端に移動させるための制御信号を本体マイコン２９からレンズマイコン１０に対して送信する（ステップＳ５０７）。これらの制御信号を受信したレンズマイコン１０は、ステップＳ４０４において、そのときのフォーカス位置を保持したまま、ＷＩＤＥ端へバリエータレンズ群２を動かす。
【００２７】
ステップＳ４０５において、レンズマイコン１０はＷＩＤＥ端に到達したかどうかを判断し、ＷＩＤＥ端に到達するまでステップＳ４０４の動作を繰り返す。ＷＩＤＥ端に到達すると、レンズマイコン１０は、バリエータレンズ群２がＷＩＤＥ端に到達したことを示す信号を本体マイコン２９に対して送信する（ステップＳ５０８）。
【００２８】
本体マイコン２９は、現在のフォーカス位置、すなわちＴＥＬＥ端でのフォーカス位置ｆ１を確認するための信号をレンズマイコン１０に対して送信し（ステップＳ５０９）、レンズマイコン１０は上記のフォーカス位置ｆ１を示す信号を本体マイコン２９に対して送信する（ステップＳ５１０）。本体マイコン２９は、ステップＳ４０６において、レンズマイコン１０からフォーカス位置ｆ１を示す信号を受信し、保存する（ステップＳ５１１）。
【００２９】
続いて本体マイコン２９は、強制的にＡＦモードへと移行させるための制御信号及びＡＦによる合焦が完了したことを確認するための信号をレンズマイコン１０に対して送信する（ステップＳ５１２）。これらの信号を受信したレンズマイコン１０は、ステップＳ４０７において自動的にフォーカスレンズ群５を動かして合焦させ、合焦したことを示す信号を本体マイコン２９に対して返す（ステップＳ５１３）。なお、合焦が終了するまでステップＳ４０７の合焦処理は繰り返される。
【００３０】
合焦完了の信号を受けた本体マイコン２９は、現在のフォーカス位置、すなわちＷＩＤＥ端でのフォーカス位置ｆ２を確認するための信号をレンズマイコン１０に対して送信し（ステップＳ５１４）、レンズマイコン１０は、上記のフォーカス位置ｆ２を示す信号を本体マイコン２９に対して送信する（ステップＳ５１５）。本体マイコン２９は、ステップＳ４０９においてレンズマイコン１０からフォーカス位置ｆ２を示す信号を受信し、保存する。続くステップＳ４１０において、本体マイコン２９は、（ｆ１−ｆ２）と交換式レンズユニット１２に設定されているレンズ係数を用いて調整値を算出し、カメラ本体３１を製造する段階で設定されたフランジバック情報、またはユーザがこれ以前に交換式レンズユニット１２に対してフランジバック調整を行った結果として記憶されたフランジバック情報との和を取った値を新たな調整値としてカメラ本体３１に記憶する（ステップＳ５１６）。
【００３１】
処理が終わり次第、本体マイコン２９は、ユーザからの操作はキャンセル操作以外の全てを受け付けなくした状態を解除する（ステップＳ５１７）。ここで得られた調整値に、温度による補正を加えたものを逐次レンズユニット１２に送ることで、交換式レンズユニット１２とカメラ本体３１とを組み合わせた際に生じるフランジバックの誤差を補正することが可能となる。以上の制御により、誤った調整が行われることを防止する。
【００３２】
図６は、本実施形態におけるフランジバック調整の１つである、ＭＦ調整におけるユーザ操作の無効を含むフランジバック調整方法を示すフローチャートである。また、図７は、このときの操作部・カメラ本体・交換式レンズユニット間の動作関係を示すシーケンスチャートである。本処理は、図２の２０２が選択されることにより開始されるものである。
【００３３】
ＭＦ調整では、カメラ本体３１は操作部に対し、ユーザからの操作はキャンセル操作以外の全ての操作、例えばズーム操作、フォーカス操作、アイリス操作及びシャッタスピード操作等を受け付けなくした状態で処理を開始する（ステップＳ７０１、Ｓ７０２）。
【００３４】
最初のステップＳ６０１において、強制的にＭＦモードへと移行させるための制御信号及びバリエータレンズ群２をＴＥＬＥ端に移動させるための制御信号を本体マイコン２９からレンズマイコン１０に対して送信し（ステップＳ７０３）、ＴＥＬＥ端へバリエータレンズ群２を動かす。
【００３５】
続くステップＳ６０２において、レンズマイコン１０はＴＥＬＥ端に到達したかどうかを判断し、ＴＥＬＥ端に到達するまでステップＳ６０１の動作を繰り返す。ＴＥＬＥ端に到達すると、レンズマイコン１０は、本体マイコン２９に対してバリエータレンズ群２がＴＥＬＥ端に到達したことを示す信号を送る（ステップＳ７０４）。これを受けた本体マイコン２９は、ステップＳ６０３において、ユーザからの操作のうち、フォーカス操作、決定キー操作を許可した上でユーザにピント調整を促し（ステップＳ７０５）、ユーザが手動でフォーカスレンズ群５を動かして合焦させる（ステップＳ７０６）。なお、決定キー操作（ステップＳ７０７）が完了するまでステップＳ６０３を繰り返す。決定キー操作完了後、本体マイコン２９は、再びユーザからの操作はキャンセル操作以外の全てを受け付けなくした状態で処理を進める（ステップＳ７０８）。
【００３６】
次にステップＳ６０４において、強制的にＭＦモードへと移行させるための制御信号及びバリエータレンズ群２をＷＩＤＥ端に移動させるための制御信号を本体マイコン２９からレンズマイコン１０に対して送信する（ステップＳ７０９）。これらの制御信号を受信したレンズマイコン１０は、そのフォーカス位置を保持したまま、ＷＩＤＥ端へバリエータレンズ群２を動かす。
【００３７】
ステップＳ６０５において、レンズマイコン１０はＷＩＤＥ端に到達したかどうかを判断し、ＷＩＤＥ端に到達するまでステップＳ６０４の動作を繰り返す。ＷＩＤＥ端に到達すると、レンズマイコン１０は本体マイコン２９に対してバリエータレンズ群２がＷＩＤＥ端に到達したことを示す信号を本体マイコン２９に対して送信する（ステップＳ７１０）。
【００３８】
次に本体マイコン２９は、現在のフォーカス位置、すなわちＴＥＬＥ端でのフォーカス位置ｆ１を確認するための信号をレンズマイコン１０に対して送信し（ステップＳ７１１）、レンズマイコン１０は上記のフォーカス位置ｆ１を示す信号を本体マイコン２９に対して送信する（ステップＳ７１２）。本体マイコン２９は、ステップＳ６０６において、レンズマイコン１０からフォーカス位置ｆ１を示す信号を受信し、保存する（ステップＳ７１３）。
【００３９】
続いて本体マイコン２９は、ステップＳ６０７において、ユーザからの操作のうち、フォーカス操作、決定キー操作を許可した上でユーザにピント調整を促し（ステップＳ７１４）、ユーザが手動でフォーカスレンズ群５を動かして合焦させる（ステップＳ７１５）。なお、決定キー操作（ステップＳ７１６）が完了するまでステップＳ６０７を繰り返す。決定キー操作完了後、本体マイコン２９は再びユーザからの操作はキャンセル操作以外の全てを受け付けなくした状態で処理を進める（ステップＳ７１７）。
【００４０】
続いて本体マイコン２９は、現在のフォーカス位置、すなわちＷＩＤＥ端でのフォーカス位置ｆ２を確認するための信号をレンズマイコン１０に対して送信し（ステップＳ７１８）、レンズマイコン１０は、上記のフォーカス位置ｆ２を示す信号を本体マイコン２９に対して送信する（ステップＳ７１９）。本体マイコン２９は、ステップＳ６０８において、レンズマイコン１０からフォーカス位置ｆ２を示す信号を受信し、保存する。
【００４１】
次に本体マイコン２９は、ステップＳ６０９において、（ｆ１−ｆ２）と交換式レンズユニット１２に設定されているレンズ係数を用いて調整値を算出し、カメラ本体３１を製造する段階で設定されたフランジバック情報、またはユーザがこれ以前に交換式レンズユニット１２に対してフランジバック調整を行った結果として記憶されたフランジバック情報との和を取った値を新たな調整値としてカメラ本体３１に記憶する。（ステップＳ７２０）
【００４２】
処理が終わり次第、本体マイコン２９は、ユーザからの操作はキャンセル操作以外の全てを受け付けなくした状態を解除する（ステップＳ７２１）。得られた調整値に、温度による補正を加えたものを逐次レンズユニット１２に送ることで、交換式レンズユニット１２とカメラ本体３１とを組み合わせた際に生じるフランジバックの誤差を補正することが可能となる。以上の制御により、誤った調整が行われることを防止する。ここで、上記２つの調整において、電源のＯＮ／ＯＦＦ等といった強制的に終了を行う操作や再起動を行う操作は、制限の限りではない。また、本実施形態では行っていないが、ＡＥモード、ゲイン設定、ホワイトバランスモードといった動作を制限することで、より確実にフランジバック調整が行われることは言うまでもない。
【００４３】
以上の説明において操作部とは、例えばカメラ本体３１に直接又は間接的に接続される本体付属のボタン又はリモコン等の外部入力装置等を意味し、機能構成図で示すと図９の４６のようになる。図９の４６に示すように、操作部４６は、アイリス絞り値変更部４０、シャッタスピード変更部４１、ズーム操作部４２、フォーカス操作部４３、決定操作部４４及びキャンセル操作部４５を含む。フランジバック調整実行中において、これらの操作部の操作によるアイリスの絞り値の変更（図９の４０）、シャッタスピードの変更（図９の４１）、ズーム操作（図９の４２）は常に無効にし、フォーカス操作（図９の４３）、決定操作（図９の４４）はＭＦ調整の特定値（図６のステップＳ６０３、ステップＳ６０７）のみ許可し、キャンセル操作（図９の４５）は常に許可とする。また、フランジバック調整実行中において常に無効にする操作入力の他の例としては、ズームスピードの変更に係る操作入力、フォーカススピードの操作に係る操作入力、ＡＥモードの変更に係る操作入力、ゲインの変更に係る操作入力及びホワイトバランスの変更に係る操作入力等が含まれる。
【００４４】
次に、以上の処理において得られた調整値を交換式レンズユニット１２側でどのように処理するのかについて説明する。本体マイコン２９から送られる調整値はレンズマイコン１０において補正値として所定の処理が施される。レンズマイコン１０には、レンズカムデータが図８（ａ）のような理想値（設計値）として記憶されている。これに以下のような補正の為の演算を施す。カメラ本体３１側から伝達する調整値（フランジバックの変化情報）がプラスであればバックフォーカスは理想値よりも伸びていることになるので、図８（ｂ）のように、レンズカムデータの理想値からこの分を差し引いた点線で示すレンズカムデータに（下方に）平行シフトして読み替える。この読み替えた新しいデータによってレンズ移動制御を行うことによって、ボケを生じさせない的確なズーミングが行えるようになる。上記調整値がマイナスであればバックフォーカスは理想値よりも縮んだことになり、レンズカムデータは上方に平行シフトして読み替えることになる。
【００４５】
以上のように本実施形態によれば、ユーザが電気的にフランジバック調整を行う際に、外部からズーム操作またはフォーカス操作や、シャッタスピードの変更またはアイリスの絞り値の変更等の操作を無効にすることで、調整が終了しないまたは正常に行われない等の例外を防止することが可能となる。従って、交換式のレンズ装置に設定されたフランジバック情報とカメラ装置に設定されたフランジバック情報を組み合わせた際に生じる誤差を基に調整値を算出し、カメラ装置のフランジバック情報の再構築を行うことで、装着されたレンズ装置に最適なフランジバック調整が可能となる。
【００４６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４７】
この場合、記憶媒体から読み出されたプログラムコード自体が前述した実施形態の機能を実現することになり、プログラムコード自体及びそのプログラムコードを記憶した記憶媒体は本発明を構成することになる。
【００４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５１】
【図１】本発明の実施形態に係るデジタルビデオカメラの電気的回路構成を示すブロック図である。
【図２】本発明の実施形態におけるメニュー画面の一例を示す図である。
【図３】本発明の実施形態におけるフランジバック調整方法を示すフローチャートである。
【図４】ＡＦ調整におけるユーザ操作の無効を含むフランジバック調整方法を示すフローチャートである。
【図５】ＡＦ調整におけるユーザ操作の無効を含むフランジバック調整処理時の操作部・カメラ本体・交換式レンズユニット間の動作関係を示すシーケンスチャートである。
【図６】ＭＦ調整におけるユーザ操作の無効を含むフランジバック調整方法を示すフローチャートである。
【図７】ＭＦ調整におけるユーザ操作の無効を含むフランジバック調整処理時の操作部・カメラ本体・交換式レンズユニット間の動作関係を示すシーケンスチャートである。
【図８】レンズカムデータを補正して実行するレンズ移動制御を説明するための図である。
【図９】本発明の実施形態に係るデジタルビデオカメラの電気的回路構成を、操作部の機能構成とともに示したブロック図である。
【符号の説明】
【００５２】
１、４：固定レンズ群
２：バリエータレンズ群
３：絞り
５：フォーカスレンズ群
６、８：レンズ駆動手段
７、９：レンズ駆動ドライバ
１０：レンズマイコン
１１：レンズ側接点
１２：交換式レンズユニット
２１、２２、２３：撮像素子
２４：温度検出手段
２５、２６、２７：増幅器
２８：カメラ信号処理回路
２９：本体マイコン
３０：カメラ側接点
３１：カメラ本体
４０：アイリス絞り値変更手段
４１：シャッタスピード変更手段
４２：ズーム操作部
４３：フォーカス操作部
４４：決定操作部
４５：キャンセル操作部
４６：操作部
【図１】
0005137300.tif 000002
【図２】
0005137300.tif 000003
【図３】
0005137300.tif 000004
【図４】
0005137300.tif 000005
【図５】
0005137300.tif 000006
【図６】
0005137300.tif 000007
【図７】
0005137300.tif 000008
【図８】
0005137300.tif 000009
【図９】
0005137300.tif 000010